(57)【要約】【課題】必要に応じて直ちに車両内に掛止して、車両の外部に注意を促すことができる車両用表示器を提供する。【解決手段】停止している車両が道路工事中であることや、先方の事故車両の存在を知らせて事故防止を図る場合や、車両が緊急停止した際に、直ちに車両内に掛止したり、走行時に必要に応じて車内に掛止したりできるもので、電源線１０の先端の電源プラグ１１をシガーレットライタの端子に挿し込んで、発光ダイオード６を発光させる。筐体２の枠体３に回動自在に取り付けられたヒンジ１４に吸盤１７が取り付けられているから、車両のガラス窓の曲面に対応させて吸盤１７を吸着でき、車両外部にから車両用表示器１の前面が視認できる最上の形態に掛止できる。カバー５には光反射面１２が形成され視認性を向上できる。【選択図】図１
2010000965.tif 000002
【特許請求の範囲】
【請求項１】
筐体内部の基板に配置した複数の発光ダイオードと、前記発光ダイオードの発光を制御する制御回路と、該制御回路に接続して車両電源を供給する電源装置からなる車両用表示器において、
光反射面を形成したカバーに、前記発光ダイオードの発光窓を設けて前記筐体の前面に被着するとともに、該筐体に車両内部に掛止する掛止具を取り付けたことを特徴とする車両用表示器。
【請求項２】
前記掛止具は、車両のガラス窓に吸着する吸盤であって、前記筐体にヒンジを介して取り付けたことを特徴とする請求項１に記載の車両用表示器。
【請求項３】
前記掛止具は、車両内部に配設されたサンバイザーに掛止するフックであることを特徴とする請求項１に記載の車両用表示器。
【請求項４】
前記複数の発光ダイオードの発光を制御して、所定のメッセージを表示できるようにしたことを特徴とする請求項１乃至３の何れかに記載の車両用表示器。
【発明の詳細な説明】
【技術分野】
【０００１】
本発明は、特に車両内部に掛止して外部から視認できるようにした車両用表示器に関するものである。
【背景技術】
【０００２】
従来の発光ダイオードを利用した車両用表示器としては、登録実用新案公報第３０８３２１１号公報に開示される三角表示板がある。これは故障した車両の外部に設置するものであり、車両内部に設置するものではない。また、実開平６−４９１９６号公報には、車両用の表示装置が開示されている。この表示装置は、車両用としているが車両内に掛止する点で具体性がない。
【０００３】
停止している車両が道路工事中であることや、先方の事故車両の存在を知らせて事故防止を図る場合、道路上で車両が緊急停止する場合、或いは渋滞した高速道路上で停止した緊急時に、車両の外に出て後続車に合図することは極めて危険な行為である。また、表示装置を表示できるように車内に常時設置しておくことは、外部に対する視界を妨げるという問題点がある。
【特許文献１】登録実用新案公報第３０８３２１１号公報
【特許文献２】実開平６−４９１９６号公報
【発明の開示】
【発明が解決しようとする課題】
【０００４】
本発明は、上記した問題点を解決するためになされたもので、必要に応じて直ちに車両内に掛止して、車両の外部に注意を促すことができる車両用表示器を提供することを目的とするものである。
【課題を解決するための手段】
【０００５】
上記の目的を達成するための請求項１に記載の車両用表示器は、筐体内部の基板に配置した複数の発光ダイオードと、前記発光ダイオードの発光を制御する制御回路と、該制御回路に接続して車両電源を供給する電源装置からなる車両用表示器において、光反射面を形成したカバーに、前記発光ダイオードの発光窓を設けて前記筐体の前面に被着するとともに、該筐体に車両内部に掛止する掛止具を取り付けたことを特徴とする。
【０００６】
請求項２に記載の車両用表示器は、請求項１に記載の構成において、前記掛止具は、車両のガラス窓に吸着する吸盤であって、前記筐体にヒンジを介して取り付けたことを特徴とする。
【０００７】
請求項３に記載の車両用表示器は、請求項１に記載の構成において、前記掛止具は、車両内部に配設されたサンバイザーに掛止するフックであることを特徴とする。
【０００８】
請求項４に記載の車両用表示器は、請求項１乃至３の何れかに記載の構成において、前記複数の発光ダイオードの発光を制御して、所定のメッセージを表示できるようにしたことを特徴とする。
【発明の効果】
【０００９】
請求項１に記載の車両用表示器によれば、筐体に取り付けた掛止具により、車内に掛止したりできるもので、発光する発光ダイオードにより車両外部に対して注意を促すことができる。この場合、カバーには光反射面が形成されているから、夜間に於いては筐体の前面に被着したカバーに当るヘッドライトの光が反射され視認性を向上できる。車両内に掛止できるから、停止している車両が道路工事中であることや、先方の事故車両の存在を知らせて事故防止を図る場合、或いは車両が緊急停止した際に車外に出る必要も無く安全である。また、走行時にも必要に応じて車内に掛止したりすることができる。
【００１０】
請求項２に記載の車両用表示器によれば、掛止具が筐体にヒンジを介して取り付けた吸盤であるから、緊急発生時直ちに車両のガラス窓に吸着させて掛止し、車両外部に注意を促すことができる。吸盤がヒンジを介して筐体に取り付けられているから、ガラス窓の曲面に対応して掛止できる。
【００１１】
請求項３に記載の車両用表示器によれば、掛止具が車両内部に配設されたサンバイザーに掛止するフックであるから、緊急時直ちにサンバイザーに掛止して車両外部に注意を促すことができる。
【００１２】
請求項４に記載の車両用表示器によれば、複数の発光ダイオードの発光を制御することにより、所定のメッセージを表示でき注意喚起の効果を高めることができる。
【実施例】
【００１３】
本発明に係る車両用表示器１について、添付図面を参照して説明する。図１は車両用表示器１の一部切欠正面図である。車両用表示器１の筐体２は、アクリル板などの硬質合成樹脂により形成した長方形の枠体３と、該枠体３の背面を閉じる基板４と、枠体３の前面に被着するカバー５とから構成されている。
【００１４】
基板４には、６個の発光ダイオード６を３個ずつ横並び状に纏めた発光ダイオードユニット７が、前後左右に所定間隔を置いて都合１２個配設されている。各発光ダイオードユニット７間には、所定の配線８が施されている。また、基板４には、発光ダイオード６の発光を制御する制御回路９が取り付けられている。制御回路９には、電源線１０が接続され筐体２の外部に導き出されている。電源線１０の先端には、シガーレットライタの端子に挿し込む電源プラグ１１が取り付けられている。
【００１５】
カバー５は、前面に光反射面１２が形成されている。光反射面１２は、光反射紙を貼り付けたものである。そして、カバー５には、各発光ダイオードユニット７に対応して、発光窓１３が形成されている。
【００１６】
前記枠体３の上面と下面には、それぞれ２個のヒンジ１４が取り付けられている。ヒンジ１４は、取り付け板１５と吸盤固定板１６から構成されている。取り付け版１５は、枠体３に１個の取り付けねじ（図示せず）で締着されている。従って、取り付け板１５は、枠体３に対して回動可能となっている。吸盤固定板１６には、吸盤１７がそれぞれ固定されている。
【００１７】
上記構成の車両用表示器１は、車両外部に対して事故防止のための注意等を喚起するために車両内に掛止したり、走行時に必要に応じて車内に掛止したりできるもので、電源線１０の先端の電源プラグ１１をシガーレットライタの端子に挿し込んで、発光ダイオード６を発光させる。この場合、筐体２にヒンジ１４を介して吸盤１７が取り付けられているから、緊急時直ちに車両のガラス窓に吸着させて掛止し、車両外部に注意を促すことができる。さらに、筐体２の枠体３に回動自在に取り付けられたヒンジ１４に吸盤１７が取り付けられているから、車両のガラス窓の曲面に対応させて吸盤１７を吸着でき、車両外部にから車両用表示器１の前面が視認できる最上の形態に掛止できる。
【００１８】
そして、カバー５には光反射面１２が形成されているから、夜間に於いては、カバー５に当るヘッドライトの光が反射され視認性を向上できる。車両内に掛止できるから、停止している車両が道路工事中であることや、先方の事故車両の存在を知らせて事故防止を図る場合、或いは車両が緊急停止した際にも車外に出る必要も無く安全である。また、走行時にも必要に応じて車内に掛止したりすることができる。
【００１９】
図２は掛止具の変形例を示した側面図である。変形例は、ヒンジ１４に代えて逆Ｕ字形のフック２１を２個、筐体２の背面の上部に取り付けた態様の車両用表示器１である。このフック２１は、車両内に配設されたサンバイザー（図示せず）に、車両用表示器１を掛止するためのものである。
【００２０】
この態様の車両用表示器１は、車両が故障等で停止した際や、走行時に必要に応じて直ちに車両内に配設されたサンバイザーに掛止することができる。
その他の作用効果については、吸盤１７を用いて掛止する態様のものに準じる。
【００２１】
また、上記した車両用表示器１は、複数の発光ダイオード６や発光ダイオードユニット７の発光を、マイクロチップを用いた制御回路により制御することにより、所定のメッセージを表示できる。さらに、複数の発光ダイオード６や発光ダイオードユニット７の発光の順位や位置を制御することにより動的な表示も可能となる。
【図面の簡単な説明】
【００２２】
【図１】車両用表示器の一部切欠正面図である。
【図２】掛止具の変形例を示した側面図である。
【符号の説明】
【００２３】
１  車両用表示器
２  筐体
４  基板
５  カバー
６  発光ダイオード
７  発光ダイオードユニット
９  制御回路
１０  電源回路
１１  電源プラグ
１２  光反射面
１３  発光窓
１４  ヒンジ
１７  吸盤
２１  フック
【図１】
2010000965.tif 000003
【図２】
2010000965.tif 000004